(57)【要約】【課題】効率的な掘削を行なうことが可能なバケットと、そのようなバケットを備える作業車両と、を提供する。【解決手段】バケット５０は、後端部６９を有する底板６０と、側端部８５を有する一対の側板８１と、前端部７３を有するフロントリップ７２とを備える。底板６０は、後端部６９が側板８１に連なる位置Ｑと、前端部７３とを通る第１基準直線１２１から、底板６０までの長さが最も大きくなる第１最深部６２を有する。第１最深部６２は、第１基準直線１２１と直交する第２基準直線１２２上に位置する。側端部８５には、凹み部８３が設けられる。凹み部８３は、第１基準直線１２１から凹み部８３までの長さが最も大きくなる第２最深部８４を有する。第２最深部８４は、第２基準直線１２２上、または、第２基準直線１２２よりもフロントリップ７２寄りに位置する。【選択図】図５
2020041313.tif 000002
【特許請求の範囲】
【請求項１】
作業機のアームに所定軸を中心に回動可能に連結されるバケットであって、
前記バケットの開口部に対向する底板と、
前記底板の両側に互いに対向して設けられる一対の側板と、
前記底板の背面に設けられ、前記所定軸において前記アームと連結されるブラケットと、
前記開口部に沿って設けられるフロントリップとを備え、
前記フロントリップは、前記開口部の開口縁を規定する前端部を有し、
前記底板は、前記ブラケットが取り付けられる側で、前記開口部の開口縁を規定する後端部を有し、
前記側板は、前記開口部の開口縁を規定する側端部を有し、
前記底板は、前記後端部が前記側板に連なる位置と、前記前端部とを通る第１基準直線から、前記底板までの長さが最も大きくなり、前記第１基準直線と直交する第２基準直線上に位置する第１最深部をさらに有し、
前記側端部には、前記所定軸方向から見た側面視において、前記底板に近づく方向に凹む凹み部が設けられ、
前記凹み部は、前記第１基準直線から前記凹み部までの長さが最も大きくなり、前記第２基準直線上、または、前記第２基準直線よりも前記フロントリップ寄りに位置する第２最深部を有する、バケット。
【請求項２】
前記第２最深部は、前記第２基準直線上に位置している、請求項１に記載のバケット。
【請求項３】
前記底板は、前記第１最深部において、第１の曲率を有する湾曲形状を有し、
前記凹み部は、前記第２最深部において、前記第１の曲率以上の第２の曲率を有する湾曲形状を有する、請求項２に記載のバケット。
【請求項４】
前記第１の曲率は、前記第２の曲率と同じ大きさである、請求項３に記載のバケット。
【請求項５】
前記底板は、前記第１最深部において、第１の曲率を有する湾曲形状を有し、
前記凹み部は、前記第２最深部において、前記第１の曲率よりも小さい第２の曲率を有する湾曲形状を有する、請求項２に記載のバケット。
【請求項６】
車両本体と、
前記車両本体に取り付けられる前記作業機とを備え、
前記作業機は、
前記車両本体に回動可能に連結されるブームと、
前記ブームに回動可能に連結される前記アームと、
前記アームに回動可能に連結される、請求項１から５のいずれか１項に記載のバケットとを有する、作業車両。
【発明の詳細な説明】
【技術分野】
【０００１】
本開示は、バケットおよび作業車両に関する。
【背景技術】
【０００２】
たとえば、国際公開第２００４／０２３００１号（特許文献１）には、建設機械用のバケットが開示されている。
【先行技術文献】
【特許文献】
【０００３】
【特許文献１】国際公開第２００４／０２３００１号
【発明の概要】
【発明が解決しようとする課題】
【０００４】
上述の特許文献１に開示されるように、油圧ショベルなどの作業車両に搭載され、地面の掘削を行なうバケットが知られている。このようなバケットにおいては、地面に対するバケットの貫入性を高くして、効率的な掘削を行なうことが求められる。
【０００５】
本開示の目的は、効率的な掘削を行なうことが可能なバケットと、そのようなバケットを備える作業車両とを提供することである。
【課題を解決するための手段】
【０００６】
本開示に従ったバケットは、作業機のアームに所定軸を中心に回動可能に連結されるバケットである。バケットは、底板と、一対の側板と、ブラケットと、フロントリップとを備える。底板は、バケットの開口部に対向する。一対の側板は、底板の両側に互いに対向して設けられる。ブラケットは、底板の背面に設けられる。ブラケットは、所定軸においてアームと連結される。フロントリップは、開口部に沿って設けられる。フロントリップは、前端部を有する。前端部は、開口部の開口縁を規定する。底板は、後端部を有する。後端部は、ブラケットが取り付けられる側で、開口部の開口縁を規定する。側板は、側端部を有する。側端部は、開口部の開口縁を規定する。底板は、第１最深部をさらに有する。第１最深部は、後端部が側板に連なる位置と、前端部とを通る第１基準直線から、底板までの長さが最も大きくなる。第１最深部は、第１基準直線と直交する第２基準直線上に位置している。側端部には、凹み部が設けられる。凹み部は、所定軸方向から見た側面視において、底板に近づく方向に凹む。凹み部は、第２最深部を有する。第２最深部は、第１基準直線から凹み部までの長さが最も大きくなる。第２最深部は、第２基準直線上、または、第２基準直線よりもフロントリップ寄りに位置する。
【０００７】
本開示に従った作業車両は、車両本体と、作業機とを備える。作業機は、車両本体に取り付けられる。作業機は、ブームと、アームと、上述のバケットとを有する。ブームは、車両本体に回動可能に連結される。アームは、ブームに回動可能に連結される。バケットは、アームに回動可能に連結される。
【発明の効果】
【０００８】
本開示に従えば、効率的な掘削を行なうことが可能なバケットと、そのようなバケットを備える作業車両とを提供することができる。
【図面の簡単な説明】
【０００９】
【図１】本開示の実施の形態１におけるバケットを搭載した油圧ショベルを示す斜視図である。
【図２】バケットを示す斜視図である。
【図３】図２中の矢印ＩＩＩに示す方向に見たバケットを示す側面図である。
【図４】図２中の矢印ＩＶに示す方向に見たバケットを示す上面図である。
【図５】図４中のＶ−Ｖ線上の矢視方向に見たバケットを示す断面図である。
【図６】図２中の２点鎖線ＶＩで囲まれた範囲を拡大して示す斜視図である。
【図７】図５中の２点鎖線ＶＩＩで囲まれた範囲を拡大して示す断面図である。
【図８】実施の形態１において、地面の掘削時におけるバケットの動作の一例を示す側面図である。
【図９】本開示の実施の形態２におけるバケットを示す断面図である。
【図１０】実施の形態２において、地面の掘削時におけるバケットの動作の一例を示す側面図である。
【図１１】本開示の実施の形態３におけるバケットを示す断面図である。
【図１２】本開示の実施の形態４におけるバケットを示す断面図である。
【発明を実施するための形態】
【００１０】
本開示の実施の形態について、図面を参照して説明する。なお、以下で参照する図面では、同一またはそれに相当する部材には、同じ番号が付されている。
【００１１】
（実施の形態１）
図１は、本開示の実施の形態１におけるバケットを搭載した油圧ショベルを示す斜視図である。図１に示されるように、油圧ショベル１００は、車両本体１１と、作業機１２とを有する。車両本体１１は、旋回体１３と、走行装置１５とを有する。
【００１２】
走行装置１５は、一対の履帯１５Ｃｒと、走行モータ１５Ｍとを有する。油圧ショベル１００は、履帯１５Ｃｒの回転により走行可能である。走行モータ１５Ｍは、走行装置１５の駆動源として設けられている。なお、走行装置１５が車輪（タイヤ）を有してもよい。
【００１３】
旋回体１３は、走行装置１５上に設けられている。旋回体１３は、旋回中心４１を中心として、走行装置１５に対して旋回可能である。旋回中心４１は、上下方向に延びる軸である。旋回体１３は、キャブ（運転室）１４を有する。キャブ１４には、オペレータが着座する運転席１４Ｓが設けられている。オペレータは、キャブ１４において油圧ショベル１００を操作可能である。
【００１４】
旋回体１３は、エンジンルーム１９と、旋回体１３の後部に設けられるカウンタウェイトとを有する。エンジンルーム１９には、エンジン、作動油タンク、エアクリーナおよび油圧ポンプなどが収容されている。
【００１５】
作業機１２は、車両本体１１に取り付けられている。作業機１２は、旋回体１３に取り付けられている。作業機１２は、地面の掘削などの作業を行なう。作業機１２は、ブーム１６と、アーム１７と、バケット５０とを有する。
【００１６】
ブーム１６は、ブームピン２３を介して、車両本体１１（旋回体１３）に回動可能に連結されている。アーム１７は、アームピン２４を介して、ブーム１６に回動可能に連結されている。バケット５０は、バケットピン２５を介して、アーム１７に回動可能に連結されている。バケット５０は、中心軸１１０を中心にして、アーム１７に回動可能に連結されている。バケットピン２５は、ピン形状を有し、中心軸１１０の軸上で延びている。中心軸１１０は、バケット５０の回動軸である。
【００１７】
作業機１２は、ブームシリンダ２０Ａおよびブームシリンダ２０Ｂと、アームシリンダ２１と、バケットシリンダ２２とをさらに有する。
【００１８】
ブームシリンダ２０Ａ、ブームシリンダ２０Ｂ、アームシリンダ２１およびバケットシリンダ２２は、作動油によって駆動される油圧シリンダである。ブームシリンダ２０Ａおよびブームシリンダ２０Ｂは、ブーム１６の両側に一対に設けられており、ブーム１６を回動動作させる。アームシリンダ２１は、アーム１７を回動動作させる。バケットシリンダ２２は、バケット５０を回動動作させる。
【００１９】
ブーム１６、アーム１７およびバケット５０の回動軸は、互いに平行に延びている。ブーム１６、アーム１７およびバケット５０の回動軸は、いずれも、水平方向に延びている。
【００２０】
油圧ショベル１００は、バケット５０がオペレータの側を向いて取り付けられるバックホウタイプである。
【００２１】
続いて、バケット５０の構造について詳細に説明する。図２は、バケットを示す斜視図である。図３は、図２中の矢印ＩＩＩに示す方向に見たバケットを示す側面図である。図４は、図２中の矢印ＩＶに示す方向に見たバケットを示す上面図である。図５は、図４中のＶ−Ｖ線上の矢視方向に見たバケットを示す断面図である。
【００２２】
図２から図５に示されるように、バケット５０は、土などの被掘削物を積み込むための空間を形成する。バケット５０は、一方向において開口している。
【００２３】
以下のバケット５０の構造の説明において、左右方向は、バケット５０の回動軸（中心軸１１０）が延びる方向である。前後方向は、左右方向と直交する方向である。バケット５０の回動軸が存在する側が、後方であり、その反対側が、前方である。バケット５０を前方に向けて配置した時の右側が、右方であり、バケット５０を前方に向けて配置した時の左側が、左方である。上下方向とは、前後方向および左右方向を含む平面に直交する方向である。バケット５０の開口（開口部５１）が存在する側が、上方であり、その反対側が、下方である。これらの方向は、バケット５０が土砂等の被掘削物を積み込んだ状態で引き上げられた時の姿勢を基準にして、規定されている。
【００２４】
バケット５０は、底板６０と、一対の側板８１（８１Ｌ，８１Ｒ）と、ブラケット８６と、フロントリップ７２とを有する。底板６０、一対の側板８１およびフロントリップ７２は、板材から構成されている。底板６０、一対の側板８１およびフロントリップ７２に囲まれた位置に、土などの被掘削物を積み込むための空間が形成されている。
【００２５】
底板６０は、バケット５０の開口部５１に対向している。底板６０は、上下方向において、開口部５１に開口している。一対の側板８１は、底板６０の両側に互いに対向して設けられている。一対の側板８１は、左右方向における底板６０の両端に接続されている。側板８１は、左右一対に設けられている。側板８１Ｌは、バケット５０の左方に設けられている。側板８１Ｒは、バケット５０の右方に設けられている。
【００２６】
底板６０は、バケット５０の回動軸（中心軸１１０）と平行に設けられている。側板８１は、バケット５０の回動軸（中心軸１１０）と交わる方向に設けられている。側板８１は、バケット５０の回動軸（中心軸１１０）と直交する方向に設けられている。
【００２７】
前後方向におけるバケット５０の長さは、上下方向において開口部５１の開口縁に近づくほど大きくなる。上下方向に直交する平面によりバケット５０が切断された場合の切断部の開口面積は、上下方向において開口部５１の開口縁に近づくほど大きくなる。
【００２８】
底板６０は、底部６１を有する。底部６１は、開口部５１から見た場合の底板６０の底部分を構成している。底部６１は、中心軸１１０の軸方向に見た側面視（左右方向に見た視点：図３および図５に示される側面視であり、以下では、単に「側面視」ともいう）において、湾曲形状を有する。底部６１は、中心軸１１０に直交する平面により切断された場合に、下方に向けて突出する山形（円弧形状）の断面を有する。
【００２９】
底板６０は、中心軸１１０に直交する平面により切断された場合に、底部６１の前方側の端部から開口部５１の開口縁に向けて、斜め上前方に延びる直線形状の断面を有する。底板６０は、中心軸１１０に直交する平面により切断された場合に、底部６１の後方側の端部から開口部５１の開口縁まで、斜め上後方に延びる直線形状の断面を有する。
【００３０】
ブラケット８６は、底板６０の背面（後方側の外表面）に設けられている。ブラケット８６は、バケット５０を、図１中の作業機１２（アーム１７）に連結するための部材である。ブラケット８６は、中心軸１１０においてアーム１７と連結される。
【００３１】
ブラケット８６は、基台８９と、複数のプレート８７とを有する。基台８９は、バケット５０の外側から底板６０に接続されている。基台８９は、底板６０から後方に向けて突出する山形の断面を有しながら、左右方向に板状に延在している。プレート８７は、基台８９に接続されている。プレート８７は、左右方向が厚み方向となる板材からなる。プレート８７は、基台８９から後方に向けて延出している。複数のプレート８７は、左右方向において、互いに間隔を隔てて設けられている。
【００３２】
ブラケット８６には、孔８８と、孔９０とが設けられている。孔８８は、プレート８７を、左右方向（プレート８７の厚み方向）において貫通するように設けられている。孔８８は、複数のプレート８７を、左右方向に貫くように設けられている。孔８８は、バケット５０の回動軸である中心軸１１０の軸上に中心を有する。孔８８は、中心軸１１０を中心とする円形の開口を有する。孔８８にバケットピン２５が挿入されることによって、バケット５０は、アーム１７に対して、中心軸１１０を中心に回動可能に連結されている（図１も参考のこと）。
【００３３】
孔９０は、プレート８７を、左右方向（プレート８７の厚み方向）において貫通するように設けられている。孔９０は、複数のプレート８７を、左右方向に貫くように設けられている。孔９０は、中心軸１１１の軸上に中心を有する。孔９０は、中心軸１１１を中心とする円形の開口を有する。中心軸１１１は、中心軸１１０と平行に延びている。中心軸１１１は、中心軸１１０よりも下方に位置している。孔９０には、バケット５０を図１中のバケットシリンダ２２に連結するためのピンが挿入される。
【００３４】
フロントリップ７２は、底板６０におけるブラケット８６に対向する位置に、開口部５１に沿って設けられている。フロントリップ７２は、前後方向においてブラケット８６と対向している。フロントリップ７２は、底板６０の前方側の端部に接続されている。フロントリップ７２は、側面視において、一定の厚みを有しながら、斜め上前方に直線状に延びている。フロントリップ７２は、一定の厚みを有する板材から構成されている。フロントリップ７２は、底板６０よりも大きい厚みを有する。フロントリップ７２には、ツースアダプタ７５を介して、ツース７６が接続されている。
【００３５】
フロントリップ７２は、前端部７３を有する。前端部７３は、バケット５０の前側において開口部５１の開口縁を規定している。前端部７３は、底部６１から見た場合のフロントリップ７２の先端（上端）部分である。前端部７３は、フロントリップ７２のうちで最も上方に位置する部分である。
【００３６】
底板６０は、後端部６９を有する。後端部６９は、ブラケット８６が取り付けられる側で、開口部５１の開口縁を規定している。後端部６９は、バケット５０の後側において開口部５１の開口縁を規定している。後端部６９は、底部６１から見た場合の後側における底板６０の先端（上端）部分である。
【００３７】
側板８１は、中心軸１１０の軸方向における底板６０の両端に接続されている。側板８１は、左右方向（中心軸１１０の軸方向）が厚み方向となる板材により構成されている。
【００３８】
側板８１は、サイドリップ８２を有する。サイドリップ８２は、開口部５１に沿って設けられている。サイドリップ８２は、上下方向において、フロントリップ７２と同じ高さに設けられている。サイドリップ８２は、一定の厚みを有する板材から構成されている。サイドリップ８２は、側板８１の他部位の厚みよりも大きい厚みを有する。サイドリップ８２には、サイドカッタ７７が固定されている。サイドカッタ７７は、前後方向において、ブラケット８６よりもフロントリップ７２に寄った位置に設けられている。
【００３９】
側板８１（８１Ｌ，８１Ｒ）は、側端部８５を有する。側端部８５は、バケット５０の右側および左側において開口部５１の開口縁を規定している。側端部８５は、底部６１から見た場合の側板８１（サイドリップ８２）の先端（上端）部分である。
【００４０】
側端部８５には、凹み部８３が設けられている。凹み部８３は、側面視において、底板６０に近づく方向に凹む形状を有する。凹み部８３は、後述する第２基準直線１２２を挟んで前方および後方の両側に渡って設けられている。凹み部８３は、サイドカッタ７７を避けた位置に設けられている。
【００４１】
側板８１（８１Ｌ，８１Ｒ）と、底板６０との隅部には、補強部材９１が設けられている。補強部材９１は、バケット５０内に設けられている。補強部材９１は、ブラケット８６が取り付けられる側の底板６０に設けられている。
【００４２】
図６は、図２中の２点鎖線ＶＩで囲まれた範囲を拡大して示す斜視図である。図７は、図５中の２点鎖線ＶＩＩで囲まれた範囲を拡大して示す断面図である。
【００４３】
図５から図７に示されるように、後端部６９が側板８１に連なる位置Ｑと、フロントリップ７２の前端部７３とを通る第１基準直線１２１が規定されている。
【００４４】
図５に示されるように、第１基準直線１２１から底板６０までの長さＨは、第１基準直線１２１の直線方向に沿って変化する。
【００４５】
底板６０は、第１最深部６２を有する。第１最深部６２は、底部６１の一部分である。第１基準直線１２１から底板６０までの長さＨは、第１最深部６２において最も大きい値（Ｈｍａｘ）となる。第１最深部６２は、第１基準直線１２１を基準にして、バケット５０内の深さが最も大きくなる部分である。第１基準直線１２１から底板６０までの長さＨは、第１基準直線１２１の直線方向において、第１最深部６２から前方に向かうほど小さくなり、第１最深部６２から後方に向かうほど小さくなる。
【００４６】
第１最深部６２を通り、第１基準直線１２１と直交する第２基準直線１２２が規定されている。凹み部８３は、第２基準直線１２２上に位置している。Ｈｍａｘは、第１基準直線１２１から第１最深部６２までの第２基準直線１２２の長さに対応する。
【００４７】
第１基準直線１２１から凹み部８３までの長さｈは、第１基準直線１２１の直線方向に沿って変化する。
【００４８】
凹み部８３は、第２最深部８４を有する。第１基準直線１２１から凹み部８３までの長さｈは、第２最深部８４において最も大きい値（ｈｍａｘ）となる。第２最深部８４は、第１基準直線１２１を基準にして、凹み部８３の凹み量が最も大きくなる部分である。第１基準直線１２１から凹み部８３までの長さｈは、第１基準直線１２１の直線方向において、第２最深部８４から前方に向かうほど小さくなり、第２最深部８４から後方に向かうほど小さくなる。
【００４９】
第２最深部８４は、第２基準直線１２２上、または、第１基準直線１２１の直線方向において、第２基準直線１２２よりもフロントリップ７２寄りに位置している。第２最深部８４は、第２基準直線１２２上に位置している。第１最深部６２および第２最深部８４は、第１基準直線１２１と直交する同一の直線（第２基準直線１２２）上に位置している。ｈｍａｘは、第１基準直線１２１から第２最深部８４までの第２基準直線１２２の長さに対応する。
【００５０】
底板６０は、第１最深部６２において、曲率１／Ｒ（曲率半径Ｒ）を有する湾曲形状を有する。凹み部８３は、第２最深部８４において、曲率１／ｒ（曲率半径ｒ）を有する湾曲形状を有する。第２最深部８４における凹み部８３の曲率１／ｒは、第１最深部６２における底板６０の曲率１／Ｒ以上である（１／ｒ≧１／Ｒ）。第２最深部８４における凹み部８３の曲率１／ｒは、第１最深部６２における底板６０の曲率１／Ｒと同じである（１／ｒ＝１／Ｒ）。
【００５１】
第２基準直線１２２およびフロントリップ７２がなす角度βは、第２基準直線１２２および第１傾斜部６７がなす角度αよりも大きい（β＞α）。
【００５２】
図８は、実施の形態１において、地面の掘削時におけるバケットの動作の一例を示す側面図である。図１および図８に示されるように、ブームシリンダ２０Ａ，２０Ｂ、アームシリンダ２１およびバケットシリンダ２２の駆動により、ブーム１６、アーム１７およびバケット５０を回動動作させることによって、地面の掘削（溝掘り）を行なう。
【００５３】
図８中では、実線１３１により、掘削前の地面が表わされ、２点鎖線１３２により、掘削後の地面が表わされている。掘削の進行に伴って、バケット５０は、バケット５０Ａ、バケット５０Ｂおよびバケット５０Ｃに示す位置を順に移動する。
【００５４】
まず、ツース７６の先端を地面に当接させる（バケット５０Ａ）。次に、バケット５０を中心軸１１０を中心に回動動作させることによって、ツース７６を先頭にしてバケット５０を地面に貫入させる（バケット５０Ｂ）。次に、バケット５０を中心軸１１０を中心に回動動作させながら、ブーム１６およびアーム１７を回動動作させることによって、バケット５０をキャブ１４に近づく方向に水平移動させる（バケット５０Ｃ）。その後、バケット５０を、掘削した土をバケット５０内に積み込んだ状態で地面から引き上げる。
【００５５】
典型的な例として、バケット５０は、図８中のバケット５０Ｃに示されるように水平移動する間、第１基準直線１２１が鉛直方向となり、第２基準直線１２２が水平方向となる姿勢を採る。このとき、フロントリップ７２と、底板６０の前方側とが地面よりも下方の地中を進行し、底板６０の後方側が地面よりも上方の地上を進行する。
【００５６】
バケット５０を地面に貫入させる際、側板８１が、土を押し退けながら地中にもぐり込む必要があるため、側板８１が、バケット５０の貫入時における抵抗（貫入抵抗）を増大させる原因となり得る。また、地中にもぐり込む側板８１の位置は、底板６０の前方側と、側端部８５とを結ぶ直線に沿った領域（バケット５０Ｂにおけるハッチング領域１４６）から、底部６１と側端部８５とを結ぶ直線に沿った領域（バケット５０Ｃにおけるハッチング領域１４７）へと順に移行する。
【００５７】
これに対して、側板８１の側端部８５には凹み部８３が設けられている。これにより、地中にもぐり込む側板８１の長さ（上記のハッチング領域１４７の長さ）が小さくなるため、側板８１に起因した貫入抵抗の増大を効果的に抑制することができる。また、バケット５０を用いた掘削作業においては、フロントリップ７２と、底板６０の前方側とを地中に進入させる場面が多く想定される。このため、凹み部８３の第２最深部８４が、第２基準直線１２２上、または、第２基準直線１２２よりもフロントリップ７２寄りに位置することによって、側板８１の長さを、地中に進入させる場面が多く想定される位置においてより効果的に短縮することができる。結果、地面に対するバケット５０の貫入性を高めて、効率的な掘削を行なうことができる。
【００５８】
また、上下方向における側板８１の長さは、底板６０の第１最深部６２を通る第２基準直線１２２上で最も大きくなるため、第２基準直線１２２上の側板８１が、貫入抵抗の増大に最も大きく影響する。特に、凹み部８３の第２最深部８４が、底板６０の第１最深部６２を通る第２基準直線１２２上に位置している場合、第２基準直線１２２上における側板８１の長さが、凹み部８３により最も大きく短縮される。このため、側板８１に起因した貫入抵抗の増大をさらに効果的に抑制することができる。また、地中にもぐり込む側板８１の位置が上記のとおり順に移行するのに際して、側板８１の長さが変化するため、掘削抵抗が変動する。これに対して、底板６０の第１最深部６２と、凹み部８３の第２最深部８４とが、第２基準直線１２２上に位置することにより、第２基準直線１２２上の側板８１が地面に貫入する時と、第２基準直線１２２から前後方向にずれた位置の側板８１が地面に貫入する時との間において、地中にもぐり込む側板８１の長さを緩やかに変化させることができる。これにより、側板８１に起因した貫入抵抗の大きさが、過大に変動することを抑制して、地面の掘削を円滑に行なうことができる。
【００５９】
また、第２最深部８４の曲率１／ｒは、第１最深部６２の曲率１／Ｒ以上である。このような構成により、第２最深部８４における凹み部８３の凹み量を、より大きく設定することが可能となるため、第１最深部６２を通る第２基準直線１２２上の側板８１の長さをさらに効果的に短縮することができる。これにより、地面に対するバケット５０の貫入性をさらに向上させることができる。特に、第２最深部８４の曲率１／ｒが、第１最深部６２の曲率１／Ｒと同じ大きさである場合、地面に対するバケット５０の貫入性の向上を図る効果と、側板８１に起因した貫入抵抗の大きさが過大に変動することを抑制する効果との両立を図ることができる。
【００６０】
なお、第２最深部８４の曲率１／ｒは、第１最深部６２の曲率１／Ｒよりも小さくてもよい。この場合、第２基準直線１２２から前後方向にずれた位置のより広い範囲で、側板８１の長さを短縮することができる。このため、バケット５０を用いた掘削作業において、フロントリップ７２と底板６０の前方側とに加えて、底板６０の後方側の一部も、地中に進入させる場面が生じても、側板８１に起因した貫入抵抗の増大を効果的に抑制することができる。
【００６１】
以下、本実施の形態におけるバケット５０および油圧ショベル１００の構成および効果についてまとめて説明する。
【００６２】
本開示に従ったバケット５０は、作業機１２のアーム１７に所定軸としての中心軸１１０を中心に回動可能に連結される。バケット５０は、底板６０と、一対の側板８１と、ブラケット８６と、フロントリップ７２とを備える。底板６０は、バケット５０の開口部５１に対向する。一対の側板８１は、底板６０の両側に互いに対向して設けられる。ブラケット８６は、底板６０の背面に設けられる。ブラケット８６は、中心軸１１０においてアーム１７と連結される。フロントリップ７２は、開口部５１に沿って設けられる。フロントリップ７２は、前端部７３を有する。前端部７３は、開口部５１の開口縁を規定する。底板６０は、後端部６９を有する。後端部６９は、ブラケット８６が取り付けられる側で、開口部５１の開口縁を規定する。側板８１は、側端部８５を有する。側端部８５は、開口部５１の開口縁を規定する。底板６０は、第１最深部６２をさらに有する。第１最深部６２は、後端部６９が側板８１に連なる位置Ｑと、前端部７３とを通る第１基準直線１２１から、底板６０までの長さが最も大きくなる。第１最深部６２は、第１基準直線１２１と直交する第２基準直線１２２上に位置する。側端部８５には、凹み部８３が設けられる。凹み部８３は、中心軸１１０の軸方向から見た側面視において、底板６０に近づく方向に凹む。凹み部８３は、第２最深部８４を有する。第２最深部８４は、第１基準直線１２１から凹み部８３までの長さが最も大きくなる。第２最深部８４は、第２基準直線１２２上、または、第２基準直線１２２よりもフロントリップ７２寄りに位置する。
【００６３】
このような構成によれば、側板８１の側端部８５に凹み部８３が設けられているため、側板８１に起因した貫入抵抗の増大を効果的に抑制することができる。また、凹み部８３の第２最深部８４が、第２基準直線１２２上、または、第２基準直線１２２よりもフロントリップ７２寄りに位置しているため、側板８１の長さを、地中に進入する場面が多く想定される位置においてより効果的に短縮することができる。これにより、地面に対するバケット５０の貫入性を高めて、効率的な掘削を行なうことができる。
【００６４】
また、第２最深部８４は、第２基準直線１２２上に位置している。このような構成によれば、側板８１の長さが、底板６０の第１最深部６２を通る第２基準直線１２２上において、凹み部８３により最も大きく短縮されるため、側板８１に起因した貫入抵抗の増大をさらに効果的に抑制することができる。
【００６５】
また、底板６０は、第１最深部６２において、第１の曲率としての曲率１／Ｒを有する湾曲形状を有する。凹み部８３は、第２最深部８４において、曲率１／Ｒ以上の第２の曲率としての１／ｒを有する湾曲形状を有する。
【００６６】
このような構成によれば、側板８１の長さを、第１最深部６２を通る第２基準直線１２２上において、さらに効果的に短縮することができる。これにより、地面に対するバケット５０の貫入性をさらに向上させることができる。
【００６７】
また、第１最深部６２における底板６０の曲率１／Ｒは、第２最深部８４における凹み部８３の曲率１／ｒと同じ大きさである。
【００６８】
このような構成によれば、第２基準直線１２２上の側板８１が地面に貫入する時と、第２基準直線１２２から前後方向にずれた位置の側板８１が地面に貫入する時との間において、地中にもぐり込む側板８１の長さに差が生じることを抑制できる。これにより、地面に対するバケット５０の貫入性の向上を図る効果と、側板８１に起因した貫入抵抗の大きさが過大に変動することを抑制する効果との両立を図ることができる。
【００６９】
また、第２最深部８４における凹み部８３の曲率１／ｒは、第１最深部６２における底板６０の曲率１／Ｒよりも小さくてもよい。
【００７０】
このような構成によれば、第２基準直線１２２から前後方向にずれた位置のより広い範囲で、側板８１に起因した貫入抵抗の増大を効果的に抑制することができる。
【００７１】
油圧ショベル１００は、車両本体１１と、作業機１２とを備える。作業機１２は、車両本体１１に取り付けられる。作業機１２は、ブーム１６と、アーム１７と、バケット５０とを有する。ブーム１６は、車両本体１１に回動可能に連結される。アーム１７は、ブーム１６に回動可能に連結される。バケット５０は、アーム１７に回動可能に連結される。
【００７２】
このような構成によれば、地面に対するバケット５０の貫入性を高めて、油圧ショベル１００においてより効率的な掘削を行なうことができる。
【００７３】
（実施の形態２）
図９は、本開示の実施の形態２におけるバケットを示す断面図である。図９は、実施の形態１における図５に対応する図である。本実施の形態におけるバケット１５０は、実施の形態１におけるバケット５０と比較して、基本的には同様の構造を備える。以下、重複する構造については、その説明を繰り返さない。
【００７４】
図９に示されるように、バケット１５０は、底板６０と、一対の側板８１と、ブラケット８６と、フロントリップ７２とを有する。
【００７５】
フロントリップ７２は、前端部７３を有する。底板６０は、後端部６９を有する。側板８１は、側端部８５を有する。側端部８５には、凹み部８３が設けられている。底板６０は、後端部６９が側板８１に連なる位置Ｑと、前端部７３とを通る第１基準直線１２１からの長さが最も大きくなり、第１基準直線１２１と直交する第２基準直線１２２上に位置する第１最深部６２を有する。凹み部８３は、第１基準直線１２１からの長さが最も大きくなる第２最深部８４を有する。第２最深部８４は、第２基準直線１２２上、または、第１基準直線１２１の直線方向において、第２基準直線１２２よりもフロントリップ７２寄りに位置している。第２最深部８４は、第２基準直線１２２上に位置している。
【００７６】
底板６０は、第１傾斜部６７と、第２傾斜部６８とを有する。第１傾斜部６７および第２傾斜部６８は、ブラケット８６が取り付けられる側に設けられている。第１傾斜部６７は、底部６１に連なっている。第１傾斜部６７は、底部６１の後方側の端部から斜め上後方に直線状に延びている。第２傾斜部６８は、第１傾斜部６７に連なっている。第２傾斜部６８は、開口部５１に沿って設けられている。第２傾斜部６８は、第１傾斜部６７から折れ曲がり、開口部５１の開口縁まで延びている。第２傾斜部６８は、第１傾斜部６７とは異なる傾きで、第１傾斜部６７から斜め上後方に直線状に延びている。底板６０は、側面視において、第１傾斜部６７および第２傾斜部６８の境界で折れ曲がった折れ曲がり形状を有する。
【００７７】
第２基準直線１２２およびフロントリップ７２がなす角度βは、第２基準直線１２２および第１傾斜部６７がなす角度αよりも小さい（β＜α）。言い換えれば、第２基準直線１２２および第１傾斜部６７がなす角度αは、第２基準直線１２２およびフロントリップ７２がなす角度βよりも大きい。
【００７８】
第２基準直線１２２および第２傾斜部６８がなす角度γは、第２基準直線１２２および第１傾斜部６７がなす角度αよりも小さい（γ＜α）。
【００７９】
図１０は、実施の形態２において、地面の掘削時におけるバケットの動作の一例を示す側面図である。図１０中に示すバケット１５０（１５０Ｃ）は、実施の形態１の図８中のバケット５０（５０Ｃ）に対応している。
【００８０】
図９および図１０に示されるように、バケット１５０においては、第２基準直線１２２およびフロントリップ７２がなす角度βが、第２基準直線１２２および第１傾斜部６７がなす角度αよりも小さいため、フロントリップ７２と、バケット１５０の進行方向とがなす角度がより小さく抑えられる。これにより、フロントリップ７２と、底板６０の前方側とが地中を進行する際に、矢印１４１に示されるように、土をフロントリップ７２を通じてバケット１５０内に効率的に進入させることができる。
【００８１】
一方、地面よりも上方の地上では、図１０中の実線１３３に示されるように、安息角δをなして地面から盛り上がった形態の土が、バケット１５０内における第１傾斜部６７直下の領域５２に進入していく。この際、バケット１５０の進行方向に対する第１傾斜部６７の傾きが小さすぎると、領域５２への土の進入が第１傾斜部６７によって妨げられる可能性がある。これに対して、バケット１５０では、第２基準直線１２２および第１傾斜部６７がなす角度αが、第２基準直線１２２およびフロントリップ７２がなす角度βよりも大きいため、第１傾斜部６７の傾きが小さくなりすぎることがない。これにより、矢印１４２に示されるように、地面から盛り上がった形態の土を、領域５２に効率的に進入させることができる。
【００８２】
これらの理由により、バケット１５０に積み込む土量を増やして、さらに効率的な掘削を行なうことができる。
【００８３】
また、バケット１５０においては、第２基準直線１２２および第２傾斜部６８がなす角度γが、第２基準直線１２２および第１傾斜部６７がなす角度αよりも小さい。これにより、バケット１５０内における第２傾斜部６８直下の領域５３にその全体を満たすように土が進入するため、バケット１５０を地面から引き上げた際に、バケット１５０内にデットスペースが生じることを防止できる。
【００８４】
このように構成された、本開示の実施の形態２におけるバケット１５０によれば、実施の形態１に記載の効果を同様に奏することができる。
【００８５】
（実施の形態３）
図１１は、本開示の実施の形態３におけるバケットを示す断面図である。図１１は、実施の形態１における図５に対応する図である。本実施の形態におけるバケット２５０は、実施の形態１におけるバケット５０と比較して、基本的には同様の構造を備える。以下、重複する構造については、その説明を繰り返さない。
【００８６】
図１１に示されるように、バケット２５０は、底板６０と、一対の側板８１と、ブラケット８６と、フロントリップ７２とを有する。
【００８７】
フロントリップ７２は、前端部７３を有する。底板６０は、後端部６９を有する。側板８１は、側端部８５を有する。側端部８５には、凹み部８３が設けられている。底板６０は、後端部６９が側板８１に連なる位置Ｑと、前端部７３とを通る第１基準直線１２１からの長さが最も大きくなり、第１基準直線１２１と直交する第２基準直線１２２上に位置する第１最深部６２を有する。凹み部８３は、第１基準直線１２１からの長さが最も大きくなる第２最深部８４を有する。第２最深部８４は、第２基準直線１２２上、または、第１基準直線１２１の直線方向において、第２基準直線１２２よりもフロントリップ７２寄りに位置している。第２最深部８４は、第２基準直線１２２上に位置している。
【００８８】
第２基準直線１２２およびフロントリップ７２がなす角度βは、第２基準直線１２２と、ブラケット８６が取り付けられる側の底板６０とがなす角度αよりも小さい（β＜α）。言い換えれば、第２基準直線１２２と、ブラケット８６が取り付けられる側の底板６０とがなす角度αは、第２基準直線１２２およびフロントリップ７２がなす角度βよりも大きい。
【００８９】
このように構成された、本開示の実施の形態３におけるバケット２５０によれば、実施の形態１および実施の形態２に記載の効果を同様に奏することができる。
【００９０】
（実施の形態４）
図１２は、本開示の実施の形態４におけるバケットを示す断面図である。図１２は、実施の形態１における図５に対応する図である。本実施の形態におけるバケット３５０は、実施の形態１におけるバケット５０と比較して、基本的には同様の構造を備える。以下、重複する構造については、その説明を繰り返さない。
【００９１】
図１２に示されるように、バケット３５０は、底板６０と、一対の側板８１と、ブラケット８６と、フロントリップ７２とを有する。
【００９２】
フロントリップ７２は、前端部７３を有する。底板６０は、後端部６９を有する。側板８１は、側端部８５を有する。側端部８５には、凹み部８３が設けられている。底板６０は、後端部６９が側板８１に連なる位置Ｑと、前端部７３とを通る第１基準直線１２１からの長さが最も大きくなり、第１基準直線１２１と直交する第２基準直線１２２上に位置する第１最深部６２を有する。
【００９３】
底板６０の底部６１は、第２基準直線１２２よりも前方において、湾曲形状を有する。底部６１は、第２基準直線１２２よりも後方において、傾きが異なる２つの直線が繋がった折れ曲がり形状を有する。底板６０の第１最深部６２は、下方に向けて突出する角部をなしている。
【００９４】
凹み部８３は、第１基準直線１２１からの長さが最も大きくなる第２最深部８４を有する。第２最深部８４は、第２基準直線１２２上、または、第１基準直線１２１の直線方向において、第２基準直線１２２よりもフロントリップ７２寄りに位置している。第２最深部８４は、第１基準直線１２１の直線方向において、第２基準直線１２２よりもフロントリップ７２寄りに位置している。
【００９５】
第２最深部８４は、三角形の切り欠き形状を有する。サイドリップ８２には、実施の形態１におけるサイドカッタ７７が設けられていない。
【００９６】
底板６０は、第１傾斜部６７と、第２傾斜部６８とを有する。第１傾斜部６７および第２傾斜部６８は、ブラケット８６が取り付けられる側に設けられている。第１傾斜部６７は、底部６１に連なっている。第１傾斜部６７は、底部６１の後方側の端部から斜め上後方に直線状に延びている。第２傾斜部６８は、第１傾斜部６７に連なっている。第２傾斜部６８は、開口部５１に沿って設けられている。第２傾斜部６８は、第１傾斜部６７から折れ曲がり、開口部５１の開口縁まで延びている。第２傾斜部６８は、第１傾斜部６７とは異なる傾きで、第１傾斜部６７から斜め上後方に直線状に延びている。底板６０は、側面視において、第１傾斜部６７および第２傾斜部６８の境界で折れ曲がった折れ曲がり形状を有する。
【００９７】
第２基準直線１２２およびフロントリップ７２がなす角度βは、第２基準直線１２２および第１傾斜部６７がなす角度αよりも小さい（β＜α）。第２基準直線１２２および第２傾斜部６８がなす角度γは、第２基準直線１２２および第１傾斜部６７がなす角度αよりも小さい（γ＜α）。
【００９８】
このように構成された、本開示の実施の形態４におけるバケット３５０によれば、実施の形態１および実施の形態２に記載の効果を同様に奏することができる。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１００】
本開示は、作業車両に搭載されるバケットに適用される。
【符号の説明】
【０１０１】
１１  車両本体、１２  作業機、１３  旋回体、１４  キャブ、１４Ｓ  運転席、１５  走行装置、１５Ｃｒ  履帯、１５Ｍ  走行モータ、１６  ブーム、１７  アーム、１９  エンジンルーム、２０Ａ，２０Ｂ  ブームシリンダ、２１  アームシリンダ、２２  バケットシリンダ、２３  ブームピン、２４  アームピン、２５  バケットピン、４１  旋回中心、５０，５０Ａ，５０Ｂ，５０Ｃ，１５０，１５０Ｃ，２５０，３５０  バケット、５１  開口部、５２，５３  領域、６０  底板、６１  底部、６２  第１最深部、６７  第１傾斜部、６８  第２傾斜部、６９  後端部、７２  フロントリップ、７３  前端部、７５  ツースアダプタ、７６  ツース、７７  サイドカッタ、８１，８１Ｌ，８１Ｒ  側板、８２  サイドリップ、８３  凹み部、８４  第２最深部、８５  側端部、８６  ブラケット、８７  プレート、８８，９０  孔、８９  基台、９１  補強部材、１００  油圧ショベル、１１０，１１１  中心軸、１２１  第１基準直線、１２２  第２基準直線、１４６，１４７  ハッチング領域。
【図１】
2020041313.tif 000003
【図２】
2020041313.tif 000004
【図３】
2020041313.tif 000005
【図４】
2020041313.tif 000006
【図５】
2020041313.tif 000007
【図６】
2020041313.tif 000008
【図７】
2020041313.tif 000009
【図８】
2020041313.tif 000010
【図９】
2020041313.tif 000011
【図１０】
2020041313.tif 000012
【図１１】
2020041313.tif 000013
【図１２】
2020041313.tif 000014